(57)【要約】【課題】  複数回重ねて瓦棒葺屋根を葺いた場合であって、比較的嵩張りが少なく、補修の都度生じる支持強度の劣化が比較的少ない瓦棒葺屋根の補修構造の提供。【解決手段】  各補修用瓦棒葺屋根は、露出した既設瓦棒葺屋根の瓦棒に沿って配設した複数枚のトタン板１を備え、各トタン板１は、左右両端部に各々略直角の立上り部１ａを備え、立上り部１ａは、上端部に折返し部１ｂを備え、既設瓦棒２を挟んで隣り合う折返し部１ｂ間に下地材３に定着する吊子４を渡し、その左右両端部をそれぞれ折返し部１ｂに被冠し、吊子４の左右両端部にカバー部材５を渡し、カバー部材５の左右両端部を吊子４の左右両端部及びトタン板１の折返し部１ｂに係合して一体に巻き締めてなり、カバー部材５は中央部に凹部２ｂを備え、吊子４は、既設瓦棒２におけるカバー部材５の左右両端部に圧接する内下がりに傾斜した加圧面４ｂを備え、各補修用瓦棒葺屋根の下にクッション材６を介在する瓦棒葺屋根の補修構造。【選択図】      図１
0003157350.tif 000002
【実用新案登録請求の範囲】
【請求項１】
複数枚のトタン板（１）の連接部に各々ハゼ締めによる瓦棒（２）を成形してなる既設瓦棒葺屋根の上に、更に単層又は複層に補修用瓦棒葺屋根を構成する瓦棒葺屋根の補修構造であって、
各補修用瓦棒葺屋根は、
露出した既設瓦棒葺屋根の瓦棒（２）に沿って配設した複数枚の補修用トタン板（１）を備え、
各トタン板（１）は、左右両端部に各々略直角の立上り部（１ａ）を備え、
立上り部（１ａ）は、上端部に折返し部（１ｂ）を備え、
既設瓦棒（２）を挟んで隣り合う立上り部（１ａ，１ａ）の折返し部（１ｂ，１ｂ）間に下地材（３）に定着する補修用吊子（４）を渡し、
補修用吊子（４）の左右両端部をそれぞれ立上り部（１ａ，１ａ）の折返し部（１ｂ，１ｂ）に被冠し、
補修用吊子（４）の左右両端部にカバー部材（５）を渡し、
カバー部材（５）の左右両端部を補修用吊子（４）の左右両端部及び補修用トタン板（１，１）の折返し部（１ｂ，１ｂ）に係合して一体に巻き締めてなり、
カバー部材（５）は中央部に凹部（５ａ）を備え、
補修用吊子（４）は、既設瓦棒（２）におけるカバー部材（５）の左右両端部に圧接する内下がりに傾斜した加圧面（４ａ）を備え、
各補修用瓦棒葺屋根の下に弾力性及び水密性を有するクッション材（６）を介在する瓦棒葺屋根の補修構造。
【請求項２】
前記補修用吊子（４）の左右両端部と加圧面（４ａ）との間に、既設瓦棒（２）の立上り部（１ａ）に沿って下向きに迂回するバネ部（４ｂ）を備える前記請求項１に記載の瓦棒葺屋根の補修構造。
【考案の詳細な説明】
【技術分野】
【０００１】
本考案は、瓦棒葺屋根の補修構造に関するものである。
【背景技術】
【０００２】
トタン屋根は、経年劣化が比較的激しく、葺き替えを行ないつつ長期に亘ってその機能を果たすものである。しかし、従来の様に、古いトタン板を撤去して新規に葺き替える修復工事では、トタン板を剥がす作業はもとより、剥がす際に損傷した固定枠の取替え作業等も伴い大掛りな工事となりがちである。
【０００３】
そこで、古いトタン屋根を撤去せずにその上に、更に新たなトタン屋根を葺く工法が紹介されている（例えば下記特許文献参照）。
【先行技術文献】
【特許文献】
【０００４】
【特許文献１】実登２５６２３２２号公報
【特許文献２】特公平６−２７４１９号公報
【考案の概要】
【考案が解決しようとする課題】
【０００５】
例えば、上記特許文献１には、「瓦棒のハゼ締め部を外側から挟持するように、各補修用長尺トタン板の幅方向側縁を前記瓦棒より背高の傾斜立上部に形成し、傾斜立上部の先端側を外向きに折り返し部に形成し、幅方向側縁が外向き折込部になった略凹形の補修用吊子を前記瓦棒のキャップの上方に嵌合し、幅方向両側縁に内向き巻締め部を形成したカバー材を補修用吊子の上部から被冠し、カバー材の内向き巻締め部を補修用吊子の外向き折込部及び補修用長尺トタン板の外向き折返し部に係合して一体に巻き締めてなる構造」が記載されている。
【０００６】
かかる構造によれば、傾斜立上部を介して瓦棒より背高に形成し、既設瓦棒のハゼ締め部上でその先端側を補修用吊子の折込部と連結する構造を採らねばならず、新規に葺いた瓦棒が嵩高とならざるを得ないという問題がある。
【０００７】
例えば、上記特許文献２に記載の手法にあっては、「舌片部と揺動取付部とからなる吊子の一対を既設瓦棒葺屋根の既設瓦棒部を挟むようにしてボルト、ナットにて固着し、その一対の吊子を既設瓦棒部に適宜の間隔を有して複数設け、隣接する既設瓦棒部間に、主板の両側に立上り部を形成し、この両立上り部の上端より内方頂部、側部をそれぞれ形成し、この下端より頂部側折返し縁を形成した建築用板を載置し、この建築用板の立上り部、頂部、側部に前記吊子の舌片部をハゼ締めし、この対向する吊子の両頂部箇所に、上面部の両外端より垂下状部を一体成形し、この両下端より内方に嵌合折返し縁を屈曲形成したキャップ材を、弾力性を有するクッション材を介して被覆し、このクッション材を挟持させつつその嵌合折返し縁を前記折返し縁に弾性にて嵌合させて固着した」ものである。
【０００８】
かかる構造によれば、新規に葺いた瓦棒葺屋根の支持力を、専ら、既設の瓦棒に依存することとなり、老朽化した既設瓦棒への負担が大きい構造にならざるを得ないと言う問題がある。
【０００９】
本考案は、上記の事情に鑑みてなされたものであって、複数回重ねて瓦棒葺屋根を葺いた場合であっても、比較的嵩張りが少なく、補修の都度生じる支持強度の劣化が比較的少ない瓦棒葺屋根の補修構造の提供を目的としている。
【課題を解決するための手段】
【００１０】
上記課題を解決するために成された瓦棒葺屋根の補修構造は、複数枚のトタン板の連接部に各々ハゼ締めによる瓦棒を成形してなる既設瓦棒葺屋根の上に、更に単層又は複層に補修用瓦棒葺屋根を構成する瓦棒葺屋根の補修構造である。
ここで、既設瓦棒葺屋根とは、屋根の下地材に直接葺かれた屋根と、その上に更に葺かれている一層又は複数層の先の補修用瓦棒葺屋根を含む。
【００１１】
各補修用瓦棒葺屋根は、露出した既設瓦棒葺屋根の瓦棒に沿って配設した複数枚の補修用トタン板を備えたものであって、各トタン板は、左右両端部に各々略直角の立上り部を備え、立上り部は、上端部に折返し部を備え、既設瓦棒を挟んで隣り合う立上り部の折返し部間に下地材に定着する補修用吊子を渡し、その左右両端部をそれぞれ立上り部の折返し部に被冠し、補修用吊子の左右両端部にカバー部材を渡し、その左右両端部を補修用吊子の左右両端部及び補修用トタン板の折返し部に係合して一体に巻き締めてなるものである。
【００１２】
そして、カバー部材は中央部に凹部を備え、補修用吊子は、既設瓦棒におけるカバー部材の左右両端部に圧接する内下がりに傾斜した加圧面を備え、各補修用瓦棒葺屋根の下に弾力性及び水密性を有するクッション材を介在することを特徴とする。
【００１３】
前記補修用吊子の左右両端部と加圧面との間に、既設瓦棒の立上り部に沿って下向きに迂回するバネ部を備える瓦棒葺屋根の補修構造とすることもできる。
【考案の効果】
【００１４】
本出願に係る瓦棒葺屋根の補修構造は、補修用吊子で既設瓦棒葺屋根と、補修用瓦棒葺屋根を下地材に直接定着することによって、既設瓦棒葺屋根の負担を軽減し、既設瓦棒におけるカバー部材の左右両端部に圧接する内下がりに傾斜した加圧面を備える構造によって、補修用瓦棒の付設による余計な嵩張りを回避できる。
【００１５】
また、補修用吊子の左右両端部と加圧面との間に、既設瓦棒の立上り部に沿って下向きに迂回するバネ部を備える構成を採ることによって、補修用吊子の左右両端部とトタン板の立上り部との密着、及びカバー部材の左右両端部とトタン板の折り返し部と補修用吊子の左右両端部との密着状態に、バネ部の存在による弾性的な付勢が加わることとなり、補形性、強度、及び水密性の向上に寄与することとなる。
【図面の簡単な説明】
【００１６】
【図１】本考案による瓦棒葺屋根の補修構造の実施態様例を示す一部横断面図である。
【図２】本考案による瓦棒葺屋根の補修構造を構成する瓦棒葺屋根の例を一層毎に個別に示した一部断面図である。
【図３】本考案による瓦棒葺屋根の補修構造の一例を示す工程図である。
【考案を実施するための形態】
【００１７】
以下、本考案による瓦棒葺屋根の補修構造の実施の形態を図面に基づいて説明する。
図１に示す例は、複数枚のトタン板１の連接部に各々ハゼ締めによる瓦棒２を成形してなる既設瓦棒葺屋根の上に、単層の補修用瓦棒葺屋根を構成し、年月を経て、更に一層の補修用瓦棒葺屋根を構成した瓦棒葺屋根の補修構造である（図２及び図３参照）。
【００１８】
尚、図３（Ａ）又は図３（Ｅ）の状況では、外側から一枚目のクッション材６の内側にある屋根が既設瓦棒葺屋根であり、それを構成する各部材は、既設カバー部材５、既設吊子４、既設トタン板１、及び既設クッション材６であって、当該外側から一枚目のクッション材６及びその外側に構築される屋根が補修用瓦棒葺屋根であり、それを構成する各部材は、補修用カバー部材５、補修用吊子４、補修用トタン板１、及び補修用クッション材６である。
【００１９】
各補修用瓦棒葺屋根は、露出した既設瓦棒葺屋根の表面に弾力性及び水密性を有するクッション材６を敷設し、その上に、複数枚の補修用トタン板１を横並びに配設して形成したものである。
各トタン板１は、左右両端部に各々略直角の立上り部１ａを備え、立上り部１ａは、上端部に外回りの折返し部１ｂを備えたものである。
【００２０】
各トタン板１は、既設瓦棒２に沿って、且つ当該瓦棒２を挟んで、隣接する瓦棒２，２間に一枚ずつ配置し、既設瓦棒２を挟んで隣り合う立上り部１ａ，１ａの折返し部１ｂ、１ｂ間に、下地材３の配設に合わせて補修用吊子４を渡し、当該補修用吊子４をネジ釘７やボルト・ナット等で下地材３に定着する。
その際、その左右両端部をそれぞれ立上り部１ａ，１ａの折返し部１ｂ、１ｂに被冠する。
【００２１】
更に、当該補修用吊子４の左右両端部にカバー部材５を渡し、その左右両端部を補修用吊子４の左右両端部及び補修用トタン板１，１の折返し部１ｂ，１ｂに係合して一体に巻き締めることで補修用瓦棒２が構築されると共に、屋根に配置した各トタン板１が連結し、補修用瓦棒葺屋根が完成する。
尚、既設瓦棒葺屋根にあっても、上記補修用瓦棒葺屋根の下にあって、略同じ構造である（図２参照）。
【００２２】
カバー部材５は、その左右両端部を補修用吊子４の左右両端部及び補修用トタン板１，１の折返し部１ｂ，１ｂに係合して一体に巻き締めることで、瓦棒２の左右両端部に突条２ａ，２ａが形成され、両突条２ａ，２ａに挟まれた中央部に、突条２ａの高さだけ凹んだ凹部２ｂが形成されている。
【００２３】
補修用吊子４は、既設瓦棒２におけるカバー部材５の左右両端部（突条２ａ）に圧接する内下がりに傾斜した加圧面４ａを備えている。加圧面４ａの傾斜は、左右対称であり、その左右外縁が突条２ａの外側において突条２ａの上面より上位にあり、且つ最も下位の領域が両突条２ａ，２ａの内側において突条２ａ，２ａの上面より下位にあれば良い。尚、この例では、加圧面４ａの中央部をビス頭やボルト頭、又はナットの座面とすべく平坦に成形してある。
【００２４】
加圧面４ａの傾斜は、補修用吊子４が備える一対の突条４ｃと加圧面４ａとの関係で、均一な加圧が行なえる様な求心作用（位置決め作用）を得られれば良いので、そういった作用が得られる限り、瓦棒２に挟まれた屋根の表面に対して約１０度から約３０度程度の極力緩やかな傾斜とすることが、複層構造となった瓦棒２が嵩張らない点で望ましい。
【００２５】
また、この例の補修用吊子４は、左右両端部と加圧面４ａとの間に、既設瓦棒２の立上り部１ａに沿って下向きに迂回するバネ部４ｂを備える。当該例のバネ部４ｂは、内から外へ既設瓦棒２の突条２ａを越えた直後から、略その突条２ａの高さ分だけ垂下し、続いて、上方へ垂直に折返してなる蛇腹状の波を一個又は数個形成してなる。最後の蛇腹状の波の上端をトタン板１の折返し部１ｂに被冠し、上記の通りカバー部材５で巻き締める。
【００２６】
補修用吊子４のバネ部４ｂ，４ｂは、押し縮められた状態で瓦棒２を構成し、その弾性を以って立上り部１ａ，１ａを内から外へ加圧する。カバー部材５は、補修用吊子４の左右両端部及び補修用トタン板１の折返し部１ｂに係合して一体化し、その圧力に対抗することによって、各瓦棒２を保形し、且つ補強する。
【００２７】
以上の如く構成する補修用瓦棒葺屋根を、既設屋根の上に、単層、又は複層に葺設すると、各層の屋根及びそれらの瓦棒２が、相互に補強し合い、強固な瓦棒葺屋根が構築されることとなる。各層の下には、各々弾力性及び水密性を有するクッション材６を介在し、雨漏り等を防止する。
【符号の説明】
【００２８】
１  トタン板，１ａ  立上り部，１ｂ  折返し部， 
２  瓦棒，２ａ  突条，２ｂ  凹部，
３  下地材，４  吊子，４ａ  加圧面，４ｂ  バネ部，４ｃ  突条，
５  カバー部材，６  クッション材，７  ネジ釘，
【図１】
0003157350.tif 000003
【図２】
0003157350.tif 000004
【図３】
0003157350.tif 000005